(57)【要約】      （修正有）【課題】衝撃防止、ぶつかり防止機能を備え、且つ手工具全体の美観を高める手工具の工具ヘッド構造を提供する。【解決手段】手工具、工具ヘッド２０、上クラディング３０、下クラディング４０及び外包筐５０から構成される。手工具は頭部を備え、頭部は該工具ヘッドを枢設し、工具ヘッドはそれぞれ外向きに複数の操作孔２２１を備えた可動部２２が伸びる。上クラディング底面は工具ヘッドの可動部と同じ輪廓の凹弧部３２を備え、且つ上クラディングは工具ヘッド最上面に設置し、各凹弧部をそれぞれ各可動部最上面に位置し、下クラディングの最上面は工具ヘッドの可動部と同じ輪廓の凹弧部を備え、且つ下クラディングは工具ヘッド底面に設置し、各凹弧部４２をそれぞれ各可動部底面で位置させる。外包筐は上、下クラディングの外周辺縁で被覆する。【選択図】図１
0003187727.tif 000002
【実用新案登録請求の範囲】
【請求項１】
手工具の工具ヘッド構造において、
グリップを備え、該グリップの一端は頭部を備え、該頭部は二個の相対する枢設柱を備える手工具と、
該頭部の枢設柱内に枢設し、中央には枢設孔を備え、且つ該工具ヘッドは該枢設孔を中心とし、それぞれ外向きに複数の操作孔を備えた可動部が伸びる工具ヘッドと、
該工具ヘッドの枢設孔に相対する位置に穿孔を設置し、且つ該上クラディングの底面は、該工具ヘッドの可動部と同じ輪廓の凹弧部を備え、また該工具ヘッドの最上面に設置し，各凹弧部を該工具ヘッドの各可動部最上面にそれぞれ位置させる上クラディングと、
該工具ヘッドの枢設孔に相対する位置に穿孔を設置し、且つ最上面は該工具ヘッドの可動部と同じ輪廓の凹弧部を備え、該工具ヘッドの底面に設置し，各凹弧部を該工具ヘッドの各可動部底面にそれぞれ位置させる下クラディングと、
該上、下クラディングの外周辺縁で被覆する外包筐を含むことを特徴とする手工具の工具ヘッド構造。
【請求項２】
前記工具ヘッドの可動部の操作孔は、内六角孔であることを特徴とする請求項１記載の手工具の工具ヘッド構造。
【請求項３】
前記上、下クラディング及び該外包筐は、異なる色のプラスチック筐体であることを特徴とする請求項１記載の手工具の工具ヘッド構造。
【請求項４】
前記外包筐は、射出成型機で該上、下クラディングの外周辺縁に射出してコーティングすることを特徴とする請求項１記載の手工具の工具ヘッド構造。
【考案の詳細な説明】
【技術分野】
【０００１】
本考案は、手工具の工具ヘッド構造に関するもので、特に一種利用異なる色のプラスチックで工具ヘッドを被覆した手工具に係る。
【背景技術】
【０００２】
公知の手工具製品は、ほとんどが金属材であり、使用者によって物件を緩めたり締めたりするのに用いる。
【先行技術文献】
【特許文献】
【０００３】
【特許文献１】登録実用新案第３１８６０２８号公報
【考案の概要】
【考案が解決しようとする課題】
【０００４】
解決しようとする問題点は、公知の手工具は使用者が間違って使用して、高所から落としたり、傷つけたり、または壊したりすると、使用できなくなる。更に単調な金属外観は、製品の特色を明らかにできないとういう欠点がある。
【０００５】
本考案者は、現在の公知構造の改善点を鑑み、長年関連製品に携わってきた経験から現在の問題に関し、改善方法を深慮し、何度もテストを実施し、遂に手工具の工具ヘッド構造を創作した。
【課題を解決するための手段】
【０００６】
本考案は、手工具、工具ヘッド、上クラディング、下クラディング及び外包筐から構成される。手工具は頭部を備え、頭部は該工具ヘッドを枢設し、工具ヘッドはそれぞれ外向きに複数の操作孔を備えた可動部が伸びる。また上クラディング底面は工具ヘッドの可動部と同じ輪廓の凹弧部を備え、且つ上クラディングは工具ヘッド最上面に設置し、各凹弧部をそれぞれ各可動部最上面に位置し、下クラディングの最上面は工具ヘッドの可動部と同じ輪廓の凹弧部を備え、且つ下クラディングは工具ヘッド底面に設置し、各凹弧部をそれぞれ各可動部底面で位置させる。他に、外包筐は上、下クラディングの外周辺縁で被覆することを最も主要な特徴とする。
【考案の効果】
【０００７】
本考案の手工具の工具ヘッド構造は、衝撃防止、ぶつかり防止機能を備え、且つ手工具全体の美観を高めるという利点がある。
【図面の簡単な説明】
【０００８】
【図１】本考案の立体分解指示図である。
【図２】本考案の立体組立指示図である。
【図３】本考案の最上面指示図である。
【図４】図３の４−４断面指示図である。
【図５】本考案の実施例の組立指示図である。
【考案を実施するための形態】
【０００９】
衝撃防止機能を備えた手工具の工具ヘッド構造を提供することを本考案の主な目的とする。
【００１０】
手工具全体の美観を高める手工具の工具ヘッド構造を提供することを本考案の別の目的とする。
【００１１】
上述の問題を達成するため、本考案は手工具の工具ヘッド構造を提出し、それは以下を含む。
【００１２】
手工具は、グリップを備え、該グリップの一端は頭部を備え、該頭部は二個の相対する枢設柱を備える。
【００１３】
工具ヘッドは、該頭部の枢設柱内に枢設し、該工具ヘッドの中央は枢設孔を備え、且つ該工具ヘッドは該枢設孔を中心とし、それぞれ外向きに複数の操作孔を備えた可動部が伸びる。
【００１４】
上クラディングは、該工具ヘッドの枢設孔に相対する位置に穿孔を設置し、且つ該上クラディングの底面は、該工具ヘッドの可動部と同じ輪廓の凹弧部を備える。また該上クラディングは該工具ヘッドの最上面に設置し、該上クラディングの各凹弧部を該工具ヘッドの各可動部最上面にそれぞれ位置させる。
【００１５】
下クラディングは、該工具ヘッドの枢設孔に相対する位置に穿孔を設置し，且つ該下クラディングの最上面は該工具ヘッドの可動部と同じ輪廓の凹弧部を備える。また該下クラディングは該工具ヘッドの底面に設置し，該下クラディングの各凹弧部を該工具ヘッドの各可動部底面にそれぞれ位置させる。
【００１６】
外包筐は、該上、下クラディングの外周辺縁で被覆する。
【００１７】
そのうち、該工具ヘッドの可動部の操作孔は内六角孔とする。
【００１８】
そのうち、該上、下クラディング及び該外包筐は異なる色のプラスチック筐体とする。
【００１９】
そのうち、該外包筐は射出成型機で該上、下クラディングの外周辺縁に射出して被覆する。
【００２０】
以下、本考案の良好な実施例と合わせ、図式と共に以下に説明する。
【実施例】
【００２１】
先ず、図１から図５に示すとおり、本考案は手工具の工具ヘッド構造であり、以下を含む。
【００２２】
手工具１０は、グリップ１１を備え、該グリップ１１の一端は頭部１２を備え、該頭部１２は二個の相対する枢設柱１３を備える（例として図５参照）。
【００２３】
工具ヘッド２０は、該頭部１２の枢設柱１３内に枢設し、該工具ヘッド２０の中央は枢設孔２１を備え、且つ該工具ヘッド２０は該枢設孔２１を中心として、それぞれ外向きに複数の操作孔２２１を備える可動部２２が伸びる。
【００２４】
上クラディング３０は、該工具ヘッド２０の枢設孔２１に相対する位置に、穿孔３１を設置し、且つ該上クラディング３０の底面は該工具ヘッド２０の可動部２２と同じ輪廓の凹弧部３２を備え、また該上クラディング３０は該工具ヘッド２０の最上面に放置し、該上クラディング３０の各凹弧部３２はちょうどそれぞれ該工具ヘッド２０の各可動部２２最上面にちょうど合わさる。
【００２５】
下クラディング４０は、該工具ヘッド２０の枢設孔２１に相対する位置に穿孔４１を設置し、且つ該下クラディング４０の最上面は該工具ヘッド２０の可動部２２と同じ輪廓の凹弧部４２を備え、該下クラディング４０は該工具ヘッド２０の底面に設置し、該下クラディング４０の各凹弧部４２をちょうど該工具ヘッド２０の各可動部２２底面に位置するようにする。
【００２６】
外包筐５０は該上、下クラディング３０、４０の外周辺縁に被覆する。
【００２７】
そのうち、該工具ヘッド２０の可動部２２の操作孔２２１は内六角孔である。
【００２８】
そのうち、該上、下クラディング３０、４０及び該外包筐５０は異なる色のプラスチック筐体である。
【００２９】
そのうち、該外包筐５０は射出成型機で該上、下クラディング３０、４０の外周辺縁に射出して被覆する。
【００３０】
そのうち、該上、下クラディング３０、４０が結合する時、先ず掛合、粘着もしくは高周波で結合する。
【００３１】
以上の組立構成によって、図１から図５に示すとおり、本考案は先ず製作完了した上、下クラディング３０、４０プラスチック半分を、それぞれ工具ヘッド２０の最上、底面に設置した後、それを射出成型機の金型内（図未提示）に入れ、射出成型機で外包筐５０を上、下クラディング３０、４０の外周辺縁（図４参照）で射出被覆することで、全体の製作方式が簡単便利になり、実用性が向上する。
【００３２】
その他、本考案の上、下クラディング３０、４０及び外包筐５０は、異なる色のプラスチック筐体であり、手工具全体の美観が高まるだけでなく、且つ外包筐５０の設置によって更に衝撃防止、ぶつかり防止機能を備え、手工具全体の付加価値が高まる。
【００３３】
上述のとおり、本考案の手工具の工具ヘッド構造は、有効に公知の欠点を改善し、且つ本考案の主な技術手段は、如何なる関連刊行物で未見であり、実用新案の申請用件に符合することから、ここに申請する。
【符号の説明】
【００３４】
１０        手工具
１１        グリップ
１２        頭部
１３        枢設柱
２０        工具ヘッド
２１        枢設孔
２２        可動部
２２１        操作孔
３０        上クラディング
３１        穿孔
３２        凹弧部
４０        下クラディング
４１        穿孔
４２        凹弧部
５０        外包筐
【図１】
0003187727.tif 000003
【図２】
0003187727.tif 000004
【図３】
0003187727.tif 000005
【図４】
0003187727.tif 000006
【図５】
0003187727.tif 000007